(57)【要約】【課題】  意図せずに記録された映像と音声のうち、映像部分だけを簡単に消去できるようにする。【解決手段】  異常撮影検出回路２６の映像特徴検出回路２８は、映像データを解析してレンズキャップが取り付けられているかを検出する。地面撮り検出回路３０は、地面撮り状態を検出する。記録再生制御回路３２は、検出回路２８，３０の検出結果に従い、正常撮影状態では、映像と音声を合成して記憶回路１２に記録し、異常撮影状態では、映像と音声を分離して記憶回路１２に記録するように記録再生回路１４を制御する。【選択図】  図１
2008113270.tif 000002
【特許請求の範囲】
【請求項１】
撮像手段（２０）と、
音声入力手段（１８）と、
当該撮像手段（１８）により入力される映像情報と、当該音声入力手段（１８）により入力される音声情報を記録媒体（１２）に記録する記録手段（１４）と、
異常な撮影状況を検出する撮影異常検出手段（２６）と、
当該撮影異常検出手段（２６）の検出結果に応じて、当該記録手段（１４）の、当該映像情報及び当該音声情報の記録方法を変更する記録制御手段（３２）
とを具備することを特徴とする映像音声記録装置。
【請求項２】
当該異常な撮影状況が、地面撮り又はレンズキャップ装着であることを特徴とする請求項１に記載の映像音声記録装置。
【請求項３】
当該記録制御手段は、当該撮影異常検出手段の検出結果が正常の場合には、当該映像情報及び当該音声情報を含む映像音声情報を当該記録媒体に記録するように当該記録手段を制御し、当該撮影異常検出手段の検出結果が異常の場合には、当該映像情報及び当該音声情報を分離して当該記録媒体に記録するように当該記録手段を制御することを特徴とする請求項１又は２に記載の映像記録装置。
【請求項４】
当該記録媒体に記録される映像情報を削除する削除手段を具備することを特徴とする請求項３に記載の映像記録再生装置。
【請求項５】
当該記録制御手段は、当該撮影異常検出手段の検出結果が正常の場合には、当該映像情報及び当該音声情報を含む映像音声情報を当該記録媒体に記録するように当該記録手段を制御し、当該撮影異常検出手段の検出結果が異常の場合には、当該映像情報を記録せずに当該音声情報を当該記録媒体に記録するように当該記録手段を制御することを特徴とする請求項１又は２に記載の映像記録装置。
【請求項６】
更に、当該撮影異常検出手段の検出結果が異常の場合に、当該撮像手段を省電力状態に制御する電力制御手段を具備することを特徴とする請求項５に記載の映像記録装置。
【請求項７】
当該記録制御手段は、当該撮影異常検出手段の検出結果が正常の場合には、当該映像情報及び当該音声情報を含む映像音声情報を当該記録媒体に記録するように当該記録手段を制御し、当該撮影異常検出手段の検出結果が異常の場合には、当該音声情報と、当該映像情報及び当該音声情報を含む映像音声情報とを独立に当該記録媒体に記録するように当該記録手段を制御することを特徴とする請求項１又は２に記載の映像記録装置。
【請求項８】
更に、当該記録媒体に当該音声情報とは独立に記録される当該映像音声情報を削除する削除手段を具備することを特徴とする請求項７に記載の映像記録再生装置。
【発明の詳細な説明】
【技術分野】
【０００１】
本発明は、映像及び音声を記録する映像記録装置に関し、より具体的には、意図しない記録映像を容易に削除できる映像記録装置に関する。
【背景技術】
【０００２】
ビデオカメラを持ち歩いて撮影をしていると、記録スタート・ストップの操作を失敗し、撮影を止めたつもりであるにも関わらず撮影が継続していることがある。その状態で、持ち歩いていると、延々と地面などが記録されてしまう。また、レンズキャップをした状態のままで、記録を開始してしまうこともある。
【０００３】
特許文献１には、そのような状況になったことを地面撮り検出回路で検出して警告表示を行い、撮影者がボタン操作を行わないときには自動的に一時停止となる技術が記載されている。
【特許文献１】特開平８−２７５０３３号公報
【発明の開示】
【発明が解決しようとする課題】
【０００４】
しかし、意図せずに撮影された部分は、通常は不要であるだけでなく、記録媒体の空き容量を圧迫するので、すぐに消去したい場合が多い。
【０００５】
これに対し、意図しない記録時であっても、音声については、貴重な情報や面白い会話などが記録されていることもある。
【０００６】
そこで、本発明は、上記の問題点に鑑み、意図せずに記録された映像と音声のうち、映像部分だけを簡易に削除できる映像記録装置を提示することを目的とする。
【課題を解決するための手段】
【０００７】
上記の目的を達成するために、本発明に係る映像記録装置は、撮像手段と、音声入力手段と、当該撮像手段により入力される映像情報と、当該音声入力手段により入力される音声情報を記録媒体に記録する記録手段と、異常な撮影状況を検出する撮影異常検出手段と、当該撮影異常検出手段の検出結果に応じて、当該記録手段の、当該映像情報及び当該音声情報の記録方法を変更する記録制御手段とを具備することを特徴とする。
【発明の効果】
【０００８】
本発明によれば、異常な撮影状況になると、その異常な撮影の期間は、映像と音声を分けて記録するので、撮影後に、その映像だけを簡単に消すことができる。
【発明を実施するための最良の形態】
【０００９】
以下、図面を参照して、本発明の実施例を詳細に説明する。
【実施例１】
【００１０】
図１は、本発明の一実施例である撮像装置１０の概略構成ブロック図である。図１において、撮像装置１０は、記憶回路１２、記録再生回路１４、操作ユニット１６、マイク回路１８、カメラ回路２０、スピーカ回路２２、液晶表示回路２４、異常撮影検出回路２６及び記録再生制御回路３２を有する。異常撮影検出回路２６は、映像特徴検出回路２８と地面撮り検出回路３０を具備する。
【００１１】
記憶回路１２は、映像データ及び音声データからなるストリームデータを格納する。記録再生回路１４は、映像データ及び音声データからストリームデータを生成して記憶回路１２に書き込む機能と、記憶回路１２からストリームデータを読み出して映像データおよび音声データに復元する機能を有する。
【００１２】
操作ユニット１６は、スタート／ストップ、スタンバイ、再生、停止、左及び右等のボタンを具備する。マイク回路１８は、記録する音から音声データを生成する機能を有する。カメラ回路２０は、記録する映像から映像データを生成する機能を有する。スピーカ回路２２は、音声データから音を再生する。
【００１３】
液晶表示回路２４は、映像データから映像を表示する。異常撮影検出回路２６は、異常な撮影を検出する機能を有する。特に、映像特徴検出回路２８は、映像データを解析して不図示のレンズキャップが取り付けられているかを検出する機能を有する。地面撮り検出回路３０は、地面撮り状態を検出する機能を有する。記録再生制御回路３２は、操作ユニット１６からのコード及び記録再生回路１４の状態に従い記録再生回路１４を制御する機能を有する。
【００１４】
次に、撮像装置１０の各動作モードを説明する。図２は、記録再生制御回路３２の状態遷移図である。ただし、Ｓ１は停止モード、Ｓ２はスタンバイモード、Ｓ３は記録モード、Ｓ４は特殊記録モード、Ｓ５は再生モードを示す。初期状態では、停止モードＳ１になっている。
【００１５】
停止モードＳ１では、記録再生回路１４は、記憶回路１２の内容の一覧表示の映像データを液晶表示回路２４に出力する。
【００１６】
スタンバイモードＳ２では、記録再生回路１４は、カメラ回路２０から入力される映像データを液晶表示回路２４に出力する。
【００１７】
記録モードＳ３では、記録再生回路１４は、カメラ回路２０から入力される映像データ及びマイク回路１８から入力される音声データからストリームデータを生成して記憶回路１２に書き込む。これと並行して、記録再生回路１４は、カメラ回路２０から入力される映像データを液晶表示回路２４に出力する。
【００１８】
特殊記録モードＳ４では、記録再生回路１４は、カメラ回路２０から入力される映像データ及びマイク回路１８から入力される音声データから記録モードＳ３とは異なる形式のストリームデータを生成して記憶回路１２に書き込む。これと並列して、記録再生回路１４は、カメラ回路２０から入力される映像データを液晶表示回路２４に出力する。
【００１９】
再生モードＳ５では、記録再生回路１４は、記憶回路１２から左ボタン及び右ボタンで選択した内容に対応するストリームデータを読み出して映像データ及び音声データを復元し、映像データを液晶表示回路２４に、また、音声データをスピーカ回路２２に出力する。
【００２０】
撮像装置１０は、以上の動作モードＳ１〜Ｓ５間を以下のように遷移する。停止モードＳ１でスタンバイボタンが押されると、スタンバイモードＳ２に遷移する。また、停止モードＳ１で、左ボタン及び右ボタンの操作でカーソルを移動させ記憶回路１２の内容を選択し、再生ボタンが押されると、再生モードＳ５に遷移する。
【００２１】
スタンバイモードＳ２でスタート／ストップボタンが押されると、記録モードＳ２に遷移する。スタンバイモードＳ２で停止ボタンが押されると、停止モードＳ１に遷移する。
【００２２】
記録モードＳ３でスタート／ストップボタンが押されると、スタンバイモードＳ２に遷移する。記録モードＳ３で異常撮影検出回路２６によって異常状態が検出されると、特殊記録モードＳ４に遷移する。
【００２３】
特殊記録モードＳ４で異常撮影検出回路２６によって正常状態が検出されると、記録モードＳ３に遷移する。特殊記録モードＳ４でスタート／ストップボタンが押されると、スタンバイモードＳ２に遷移する。
【００２４】
再生モードＳ５で停止ボタンが押されると、停止モードＳ１に遷移する。再生モードＳ５で映像削除ボタンが操作されると、その左ボタン及び右ボタンで選択した内容に対応するストリームデータから、特殊記録された部分の映像が削除される。
【００２５】
図３を参照して、ストリームデータの作成方法を説明する。図３は、本実施例による記録例を示す。図３において、ストリームデータ５０は、マイク回路１８からの音声データ及びカメラ回路２０からの映像データからなるストリームデータを示す。
【００２６】
記録開始位置５２で記録が開始される。地面撮り検出回路３０が、地面撮り開始位置５４で地面撮りを検出し、地面撮り終了位置５６で地面撮りを検出しなくなったとする。記録終了位置５８で記録が終了される。
【００２７】
本実施例では、記録開始位置５２から地面撮り開始位置５４までの期間６０が、記録モードＳ３で記録される通常記録期間である。地面撮り開始位置５４から地面撮り終了位置５６までの期間６２が、特殊記録モードＳ４で記録される特殊記録期間となる。地面撮り終了位置５６から記録終了位置５８までの期間６４が、再び、記録モードＳ３で記録される通常記録期間となる。
【００２８】
通常記録期間６０及び６４では、映像データと音声データから生成された映像音声情報がブロック単位でストリームデータ５０に追加記録される。特殊記録期間６２では、映像データから生成された映像情報と、音声データから生成された音声情報が、ブロック単位で交互にストリームデータ５０に追加記録される。
【００２９】
図４は、特殊記録期間の映像情報を削除した後のストリームデータ例を示す。ストリームデータ７０は、ストリームデータ５０から特殊記録期間６２の映像部分を削除した後のストリームデータになっている。
【００３０】
このように、本実施例では、以上撮影時の映像音声情報空映像データのみを削除するので、記憶回路１２の記憶容量を確保することができる。
【実施例２】
【００３１】
図５に示すように、異常撮影検出回路２６の地面撮り検出回路３０の検出結果に応じて、カメラ回路２０の電源供給を制御する消費電力制御回路８０を設けてもよい。消費電力制御回路８０は、地面撮り検出回路３０が地面撮り状態を検出すると、カメラ回路２０の撮影機能を停止して消費電力を下げるようにカメラ回路２０を制御し、地面撮り状態が検出されなくなると、カメラ回路２０の撮影機能を回復するようにカメラ回路２０を制御する。
【００３２】
図６は、この実施例での記録ストリーム例を示す。ストリームデータ８０は、本実施例により記憶回路１２に記録されるストリームデータ例を示す。
【００３３】
記録開始位置８２で記録が開始される。地面撮り検出回路３０が、地面撮り開始位置８４で地面撮りを検出し、地面撮り終了位置８６で地面撮りを検出しなくなったとする。記録終了位置５８で記録が終了される。
【００３４】
記録開始位置８２から地面撮り開始位置８４までの期間９０が、記録モードＳ３で記録される通常記録期間である。地面撮り開始位置８４から地面撮り終了位置８６までの期間９２が、特殊記録モードＳ４で記録される特殊記録期間となる。この特殊記録期間９２では、消費電力制御回路８０が、カメラ回路２０の撮影機能を停止するので、記録再生回路１４は、記録すべき映像情報を記憶回路１２に供給しない。地面撮り終了位置８６から記録終了位置８８までの期間９４が、再び、記録モードＳ３で記録される通常記録期間となる。
【００３５】
通常記録期間６０及び６６では、映像データと音声データから生成された映像音声情報がブロック単位でストリームデータ５０に追加記録される。特殊記録期間６２では、映像データから生成された映像情報が存在しないので、音声データから生成された音声情報のみが、ストリームデータ８０に追加記録される。
【実施例３】
【００３６】
実施例１では、特殊記録モードにおいて、後で映像情報のみを削除できるように、映像情報と音声情報をブロック単位で独立に記録したが、映像情報と音声情報を別のストリームデータとして記録しても良い。図７は、その記録例を示す。１００は全記録期間で有効な主ストリームデータであり、１１６は、特殊記録モードで記録される副ストリームデータである。副ストリームデータ１１６は、映像情報のみを含む。
【００３７】
記録開始位置１０２で記録が開始される。地面撮り検出回路３０が、地面撮り開始位置１０４で地面撮りを検出し、地面撮り終了位置１０６で地面撮りを検出しなくなったとする。記録終了位置１０８で記録が終了される。
【００３８】
記録開始位置１０２から地面撮り開始位置１０４までの期間１１０が、記録モードＳ３で記録される通常記録期間である。地面撮り開始位置１０４から地面撮り終了位置１０６までの期間１１２が、特殊記録モードＳ４で記録される特殊記録期間となる。地面撮り終了位置１０６から記録終了位置１０８までの期間１１４が、再び、記録モードＳ３で記録される通常記録期間となる。
【００３９】
通常記録期間１１０及び１１４では、映像データと音声データから生成された映像音声情報がブロック単位で主ストリームデータ１００に追加記録される。特殊記録期間１１２では、映像データから生成された映像情報が、ブロック単位で主ストリームデータ１００とは別の副ストリームデータ１１６として記録され、音声データから生成された音声情報がブロック単位で主ストリームデータ１００に追加記録される。
【００４０】
副ストリームデータ１１６には、映像データと音声データから生成される映像音声情報を記録しても良い。
【図面の簡単な説明】
【００４１】
【図１】本発明の一実施例である撮像装置の概略構成ブロック図である。
【図２】動作モードの状態遷移図である。
【図３】実施例１で記録されるストリームデータ例を示す図である。
【図４】図３に示すストリームデータから特殊記録期間の映像情報を削除した後のストリームデータを示す図である。
【図５】実施例２の変更部分の概略構成ブロック図である。
【図６】実施例２で記録されるストリームデータ例を示す図である。
【図７】実施例３で記録されるストリームデータ例を示す図である。
【符号の説明】
【００４２】
１０  撮像装置
１２  記憶回路
１４  記憶再生回路
１６  操作ユニット
１８  マイク回路
２０  カメラ回路
２２  スピーカ回路
２４  液晶表示回路
２６  異常撮影検出回路
２８  映像特徴検出回路
３０  地面撮り検出回路
３２  記録再生制御回路
１５０  消費電力制御回路
【図１】
2008113270.tif 000003
【図２】
2008113270.tif 000004
【図３】
2008113270.tif 000005
【図４】
2008113270.tif 000006
【図５】
2008113270.tif 000007
【図６】
2008113270.tif 000008
【図７】
2008113270.tif 000009